(57)【特許請求の範囲】
【請求項１】
上下に離間対向した一対のリンクプレートを備えた複数のオフセットリンクが連結ピンで連結されてなるベースチェーンと、該オフセットリンクの上側リンクプレートの上面に取り付けられたトッププレートとからなる水平循環可能なテーブルトップチェーンにおいて、
前記トッププレートの下面には、内方に張り出したフランジを有する略々コの字状の係止枠体が一体に形成されると共に、前記上側リンクプレートの端部に形成された突起あるいは前記連結ピンの頭部が係合される凹陥部が形成され、
前記係止枠体のフランジと前記トッププレートの下面とで形成される溝部に前記上側リンクプレートが水平方向から挿入されることにより、該上側リンクプレートに該トッププレートが取り付けられ、
前記上側リンクプレートに取り付けられたトッププレートは、前記フランジにより垂直方向への抜け止めがなされていると共に、前記凹陥部と前記突起あるいは前記連結ピンの頭部との係合により水平方向への抜け止めがなされていることを特徴とする水平循環可能なテーブルトップチェーン。
【請求項２】
上下に離間対向した一対のリンクプレートを備えた複数のオフセットリンクが連結ピンで連結されてなるベースチェーンと、該オフセットリンクの上側リンクプレートの上面に取り付けられたトッププレートとからなる水平循環可能なテーブルトップチェーンにおいて、
前記トッププレートの下面には、内方に張り出したフランジを有する略々コの字状の係止枠体が一体に形成されると共に、該係止枠体のフランジには、前記上側リンクプレートの端部に係合するフックが形成され、
前記係止枠体のフランジと前記トッププレートの下面とで形成される溝部に前記上側リンクプレートが水平方向から挿入されることにより、該上側リンクプレートに該トッププレートが取り付けられ、
前記上側リンクプレートに取り付けられたトッププレートは、前記フランジにより垂直方向への抜け止めがなされていると共に、該上側リンクプレートの端部に前記係止枠体のフランジに形成されたフックが係合することにより水平方向への抜け止めがなされていることを特徴とする水平循環可能なテーブルトップチェーン。
【請求項３】
上下に離間対向した一対のリンクプレートを備えた複数のオフセットリンクが連結ピンで連結されてなるベースチェーンと、該オフセットリンクの上側リンクプレートの上面に取り付けられたトッププレートとからなる水平循環可能なテーブルトップチェーンにおいて、
前記トッププレートの下面には、係止部を有するリング状あるいは方形状の係止用突起が一体に形成されると共に、前記上側リンクプレートの端部には、該係止用突起が嵌合される係止孔が形成され、
前記上側リンクプレートの係止孔に前記トッププレートの係止用突起が係合されることにより、該上側リンクプレートに該トッププレートが取り付けられ、
前記上側リンクプレートに取り付けられたトッププレートは、前記係止用突起の係止部により垂直方向への抜け止めがなされていると共に、係止用突起と係止孔との係合により水平方向への抜け止めがなされていることを特徴とする水平循環可能なテーブルトップチェーン。
【請求項４】
上下に離間対向した一対のリンクプレートを備えた複数のオフセットリンクが連結ピンで連結されてなるベースチェーンと、該オフセットリンクの上側リンクプレートの上面に取り付けられたトッププレートとからなる水平循環可能なテーブルトップチェーンにおいて、
前記トッププレートの下面には、係止部を有する直方体状の係止用突起が一体に形成されると共に、前記上側リンクプレートの端部には、該係止用突起の両端部に係合するフックが形成され、
前記上側リンクプレートの端部に前記トッププレートの係止用突起を垂直方向から圧入することにより、該上側リンクプレートに該トッププレートが取り付けられ、
前記上側リンクプレートに取り付けられたトッププレートは、前記係止用突起の係止部により垂直方向への抜け止めがなされていると共に、前記係止用突起の両端部に前記上側リンクプレートのフックが係合することにより水平方向への抜け止めがなされていることを特徴とする水平循環可能なテーブルトップチェーン。
【発明の詳細な説明】
【０００１】
【発明の属する技術分野】
本発明は、トッププレートの上に搬送物を載置して搬送する水平循環可能なテーブルトップチェーンに関し、詳しくは、寿司、野菜サラダ等の食品、お好み焼き用食材、焼き肉用食材等を入れた皿、容器を搬送する際に使用したり、食品工場でヨーグルト、乳製品など液状食品の入った容器等を搬送する際に使用したりする水平循環可能なテーブルトップチェーンに関する。
【０００２】
【従来の技術】
従来、搬送物を水平循環経路に沿って搬送するテーブルトップチェーンとして、合成樹脂製のオフセットリンクからなるベースチェーンに、合成樹脂製のトッププレートを装着した水平循環可能なテーブルトップチェーンは公知（実公平２−３１４５６号公報、実開昭６１−１１３７１５号公報）である。
【０００３】
従来例の一つであるテーブルトップチェーン（上記の前者実公平２−３１４５６号公報に記載のものに相当する。）を形成する場合の分解図が図２３に示されている。ピン孔８２ａ及びブシュ孔８２ｂを有する上下リンクプレート８２，８１と、ローラ８４が遊嵌されたブシュ８３とでオフセットリンク８１が形成され、上側のリンクプレート８２の上面に、ピン孔８７ａが穿設されたトッププレート８７が設けられ、トッププレート８７及びオフセットリンク８１が連結ピン８５により複数連結されることによりテーブルトップチェーンが構成されている。
【０００４】
図２４、図２５に他の従来例が示され、この従来例のテーブルトップチェーン（上記の後者実開昭６１−１１３７１５号公報に記載のものに相当する。）は、前記従来例のようにトッププレート８７にピン孔８７ａが穿設されたものでないところが異なる。図２４に示されるように、ピン孔９２ａ及びブシュ孔を有する上下リンクプレート９２，９２と、ブシュ９３とでオフセットリンク９１が形成され、上側のリンクプレート９２の上面にトッププレート９７が取り付け固定されたオフセットリンク９１が連結ピン９５により複数連結されることによりテーブルトップチェーンは構成される。
【０００５】
図２４に示されるように、上側リンクプレート９２の端部９２ｃには、係止用突起９２ｄが形成され、トッププレート９７の裏面側には、図２５に示されるように、直方体状の取付片９６，９６が設けられ、この取付片９６には凹部９６ａが形成されている。トッププレート９７の上側リンクプレート９２への取り付け固定は、取付片９６の凹部９６ａと上側リンクプレート９２の係止用突起９２ｄとの嵌合により行われる。
【０００６】
【発明が解決しようとする課題】
しかし、従来のテーブルトップチェーン（前者）は、トッププレート８７に連結ピン８５が挿入されるピン孔８７ａが穿設されているため、特に、食品を搬送する場合（例えば、回転寿司）、ピン孔８７ａの部分が汚れやすく、衛生上、外観上好ましくないという問題があり、また、連結ピン８５の露出した頭部により段差が生じることがあり、物品の搬送上やはり好ましくないという問題がある。
【０００７】
また、他の従来のテーブルトップチェーン（後者）は、トッププレート９７の裏面側に設けられた取付片９６の凹部９６ａと上側リンクプレート９２の係止用突起９２ｄとの嵌合固定により、上側リンクプレート９２にトッププレート９７が取り付けられているため、図２６に示すように、トッププレート９７の端の方で上方から荷重、衝撃力等の力Ｗを受けると、トッププレート９７が湾曲して、凹部９６ａと係止用突起９２ｄとの嵌合が外れたり（外れやすい部分をＨで示す。）、図２７に示すように、側方から衝撃力Ｗ’を受けると、やはり同じように凹部９６ａと係止用突起９２ｄとの嵌合が外れて（外れやすい部分をＨで示す。）、上側リンクプレート９２からトッププレート９７が外れるという問題がある。
【０００８】
そこで、本発明は、前述したような従来技術の問題点を解消し、トッププレートの上面にピン孔、連結ピンの頭部等が露出しない平坦面のものとすることができると共に、上側リンクプレートに取り付けられたトッププレートが上方から、あるいは側方から荷重、衝撃力等の力を受けても、トッププレートが上側リンクプレートから外れないようにすることができる水平循環可能なテーブルトップチェーンを提供することを目的とする。
【０００９】
【課題を解決するための手段】
前記目的を達成するために、本発明は、上下に離間対向した一対のリンクプレートを備えた複数のオフセットリンクが連結ピンで連結されてなるベースチェーンと、該オフセットリンクの上側リンクプレートの上面に取り付けられたトッププレートとで水平循環可能なテーブルトップチェーンを構成したものである。
【００１０】
第１の課題解決手段（請求項１）は、上記テーブルトップチェーンにおいて、トッププレートの下面には、内方に張り出したフランジを有する略々コの字状の係止枠体が一体に形成されると共に、上側リンクプレートの端部に形成された突起あるいは連結ピンの頭部が挿入される凹陥部が形成され、係止枠体のフランジとトッププレートの下面とで形成される溝部に上側リンクプレートが水平方向から挿入されることにより、該上側リンクプレートに該トッププレートが取り付けられ、この上側リンクプレートに取り付けられたトッププレートは、フランジにより垂直方向への抜け止めがなされていると共に、凹陥部と突起あるいは連結ピンの頭部との係合により水平方向への抜け止めがなされている、という構成としたものである。
【００１１】
第２の課題解決手段（請求項２）は、上記テーブルトップチェーンにおいて、トッププレートの下面には、内方に張り出したフランジを有する略々コの字状の係止枠体が一体に形成されると共に、該係止枠体のフランジには、上側リンクプレートの端部に係合するフックが形成され、係止枠体のフランジとトッププレートの下面とで形成される溝部に上側リンクプレートが水平方向から挿入されることにより、該上側リンクプレートに該トッププレートが取り付けられ、この上側リンクプレートに取り付けられたトッププレートは、フランジにより垂直方向への抜け止めがなされていると共に、該上側リンクプレートの端部に係止枠体のフランジに形成されたフックが係合することにより水平方向への抜け止めがなされている、という構成としたものである。
【００１２】
第３の課題解決手段（請求項３）は、上記テーブルトップチェーンにおいて、トッププレートの下面には、係止部を有するリング状あるいは方形状の係止用突起が一体に形成されると共に、上側リンクプレートの端部には、該係止用突起が嵌合される係止孔が形成され、上側リンクプレートの係止孔にトッププレートの係止用突起が係合されることにより、該上側リンクプレートに該トッププレートが取り付けられ、この上側リンクプレートに取り付けられたトッププレートは、係止用突起の係止部により垂直方向への抜け止めがなされていると共に、係止用突起と係止孔との係合により水平方向への抜け止めがなされている、という構成としたものである。
【００１３】
第４の課題解決手段（請求項４）は、上記テーブルトップチェーンにおいて、トッププレートの下面には、係止部を有する直方体状の係止用突起が一体に形成されると共に、上側リンクプレートの端部には、該係止用突起の両端部に係合するフックが形成され、上側リンクプレートの端部にトッププレートの係止用突起を垂直方向から圧入することにより、該上側リンクプレートに該トッププレートが取り付けられ、この上側リンクプレートに取り付けられたトッププレートは、係止用突起の係止部により垂直方向への抜け止めがなされていると共に、係止用突起の両端部に上側リンクプレートのフックが係合することにより水平方向への抜け止めがなされている、という構成としたものである。
【００１４】
【作用】
前記第１の課題解決手段によれば、上側リンクプレートに、トッププレートの下面に形成された係止枠体を介してトッププレートが取り付けられるので、トッププレートの表面をピン孔がない平坦面になる。また、トッププレートは、上側リンクプレートの端部の周縁が係止枠体のフランジに覆われて垂直方向への抜け止めがなされ、凹陥部と突起との係合、あるいは凹陥部と連結ピンの頭部との係合により水平方向への抜け止めがなされているので、トッププレートが如何なる方向から力を受けても上側リンクプレートから外れることはない。
【００１５】
前記第２の課題解決手段によれば、上側リンクプレートにトッププレートがその下面の係止枠体を介して取り付けられるので、トッププレートの表面が平坦面となる。トッププレートは、上側リンクプレートの端部の周縁が係止枠体のフランジに覆われて垂直方向への抜け止めがなされ、上側リンクプレートの端部と係止枠体のフックとの係合により水平方向への抜け止めがなされているので、トッププレートが如何なる方向から力を受けても上側リンクプレートから外れることはない。
【００１６】
前記第３の課題解決手段によれば、上側リンクプレートに、トッププレートの下面に形成された係止用突起を介してトッププレートが取り付けられるので、トッププレートの表面が平坦面になる。また、トッププレートは、係止孔と係止部を有する係止用突起との係合固定により、上側リンクプレートに取り付けられているので、係止用突起の係止部により垂直方向への抜け止めがなされると共に、係止用突起と係止孔との嵌合により水平方向への抜け止めがなされているので、トッププレートが如何なる方向から力を受けても上側リンクプレートから外れることはない。
【００１７】
前記第４の課題解決手段によれば、上側リンクプレートに、トッププレートの下面に形成された係止用突起を介してトッププレートが取り付けられるので、トッププレートの表面が平坦面となる。また、トッププレートは、上側リンクプレートの端部とトッププレートの係止用突起とが係合固定され、係止用突起の係止部により垂直方向への抜け止めがなされると共に、係止用突起の両端部に上側リンクプレートのフックが係合することにより水平方向への抜け止めがなされているので、トッププレートが如何なる方向から力を受けても上側リンクプレートから外れることはない。
【００１８】
【発明の実施の形態】
以下、本発明の実施の形態である実施例１〜実施例６を図１〜図２２に基づいて説明する。
【００１９】
【実施例１】
実施例１を図１〜図８に基づいて説明する。水平循環可能なテーブルトップチェーンは、図１〜図３にその一部が示されるように、複数のオフセットリンク１が連結ピン５により連結されてなるベースチェーン６と、オフセットリンク１の上側リンクプレート２の上面に取り付けられたトッププレート７とで構成され、搬送物をトッププレート７上に載置して循環経路に沿って走行する。
【００２０】
オフセットリンク１は、ピン孔２ａ、２’ａ及びブシュ孔２ｂ、２’ｂを有する上下一対のリンクプレート２，２’が該ブシュ孔２ｂ、２’ｂにブシュ３が圧入固定されることにより形成され、このブシュ３には、必要に応じてローラ４が遊嵌される。
【００２１】
このオフセットリンク１がその端部で順次重ね合わされて連結ピン５で連結されることによりベースチェーン６が形成される。このベースチェーン６は金属製のものであり、少なくともリンクプレート２，２’、ブシュ３、連結ピン５は金属製である。なお、図３中の５ａは連結ピン５の頭部、５ｂは固定用割ピンである。
【００２２】
以下詳述するように、オフセットリンク１を構成する上側リンクプレート２の上面に合成樹脂製のトッププレート７が取り付けられる。この上側リンクプレート２の端部２ｃには、図５に示すように、ピン孔２ａ及び一対の突起２ｄが形成されている。
【００２３】
トッププレート７の下面（底面）には、図４、図６、図７に示すように、平面略々コの字状の係止枠体８が一体成形により、あるいは接着により一体に形成される。この係止枠体８は、起立部８ａの先端から内方に張り出したフランジ８ｂを有するもので、フランジ８ｂとトッププレート７の下面との間の隙間により溝部８ｃが形成される。さらに、このトッププレート７の下面には、上側リンクプレート２の突起２ｄが嵌合される一対の凹陥部７ａが形成されると共に、連結ピン５の頭部５ａがスライドして挿入される凹溝７ｂが形成される。
【００２４】
オフセットリンク１の上側リンクプレート２にトッププレート７を取り付けるには、係止枠体８のフランジ８ｂとトッププレート７の下面とで形成された溝部８ｃに水平方向から上側リンクプレート２の端部２ｃを押し込みながら挿入し、上側リンクプレート２の突起２ｄをトッププレート７の下面に形成された凹陥部７ａに係合させる。図８には、上側リンクプレート２にトッププレート７が取り付けられた状態を示す。
【００２５】
上記のように上側リンクプレート２に、トッププレート７の下面に形成された係止枠体８を介してトッププレート７が取り付けられるので、トッププレート７の表面をピン孔がない平坦面で形成することができ、その結果、衛生上、外観上良好なものとすることができる。
【００２６】
また、トッププレート７は、上側リンクプレート２の端部２ｃの周縁が係止枠体８のフランジ８ｂに覆われて垂直方向への抜け止めがなされ、凹陥部７ａと突起２ｄとの係合により水平方向への抜け止めがなされるので、トッププレート７が上方から、あるいは側方から荷重、衝撃力等の力を受けても、トッププレート７が上側リンクプレート２から外れないようにすることができる。
【００２７】
【実施例２】
実施例２を図９〜図１１に基づいて説明する。この実施例２のテーブルトップチェーンは、前記実施例１と同様に、複数のオフセットリンクが連結ピン１５により連結されてなるベースチェーンと、オフセットリンクの上側リンクプレート１２の上面に取り付けられたトッププレート１７とで構成される。
【００２８】
オフセットリンクは、ピン孔１２ａ、１２’ａ及びブシュ孔１２ｂ、１２’ｂを有する上下一対のリンクプレート１２，１２’が該ブシュ孔１２ｂ、１２’ｂにブシュ１３が圧入固定されることにより形成され、このブシュ１３には、必要に応じてローラ１４が遊嵌される。
【００２９】
このオフセットリンクがその端部で順次重ね合わされて連結ピン１５で連結されることによりベースチェーンが形成され、このベースチェーンは、前記実施例１と同じように金属製のものである。
【００３０】
以下詳述するように、オフセットリンクを構成する上側リンクプレート１２の上面に合成樹脂製のトッププレート１７が取り付けられる。この上側リンクプレート１２の端部１２ｃには、ピン孔１２ａが穿設されている。
【００３１】
トッププレート１７の下面（底面）には、図１０に示すように、平面略々コの字状の係止枠体１８が一体成形により、あるいは接着により一体に形成される。この係止枠体１８は、起立部１８ａの先端から内方に張り出したフランジ１８ｂを有するもので、フランジ１８ｂとトッププレート１７の下面との間の隙間により溝部１８ｃが形成される。さらに、トッププレート１７の下面には、連結ピン１５の頭部が嵌合される凹陥部１７ａ及び連結ピン１５の頭部１５ａがスライドして挿入される凹溝１７ｂが形成される。
【００３２】
オフセットリンクの上側リンクプレート１２にトッププレート１７を取り付けるには、溝部１８ｃに水平方向から上側リンクプレート１２の端部１２ｃを押し込みながら挿入し、上側リンクプレート１２に装着された連結ピン１５の頭部１５ａをトッププレート１７の下面に形成された凹陥部１７ａに嵌合させる。
【００３３】
上記のように上側リンクプレート１２に、係止枠体１８を介してトッププレート１７が取り付けられるので、トッププレート１７の表面を平坦面で形成することができる。また、上側リンクプレート１２の取り付けられたトッププレート１７は、上側リンクプレート１２の端部１２ｃ周縁が係止枠体１８のフランジ１８ｂに覆われて垂直方向への抜け止めがなされると共に、凹陥部１７ａと連結ピン１５の頭部１５ａとの嵌合により水平方向への抜け止めがなされているので、トッププレート１７が上方からあるいは側方から力を受けても、トッププレート１７を上側リンクプレート１２から外れないようにすることができる。
【００３４】
【実施例３】
実施例３を図１２〜図１４に基づいて説明する。この実施例３のテーブルトップチェーンは、前記実施例１と同様に、複数のオフセットリンクが連結ピン２５により連結されてなるベースチェーンと、オフセットリンクの上側リンクプレート２２の上面に取り付けられたトッププレート２７とで構成される。
【００３５】
オフセットリンクは、ピン孔２２ａ及びブシュ孔２２ｂを有する上下一対のリンクプレート（下側リンクプレート、ブシュ等については図示を省略）がブシュ孔２２ｂにブシュが圧入固定されることにより形成され、このブシュには、必要に応じてローラが遊嵌される。
【００３６】
このオフセットリンクがその端部で順次重ね合わされて連結ピン２５で連結されることによりベースチェーンが形成され、このベースチェーンは、前記実施例１と同じように金属製のものである。
【００３７】
以下詳述するように、オフセットリンクを構成する上側リンクプレート２２の上面に合成樹脂製のトッププレート２７が取り付けられる。この上側リンクプレート２２の端部２２ｃには、ピン孔２２ａが穿設されている。
【００３８】
トッププレート２７の下面（底面）には、図１２〜図１４に示すように、平面略々コの字状の係止枠体２８が一体成形により、あるいは接着により一体に形成される。この係止枠体２８は、起立部２８ａの先端から内方に張り出したフランジ２８ｂを有するもので、フランジ２８ｂとトッププレート２７の下面との間の隙間により溝部が形成される。また、図１２、図１４に示されるように、この係止枠体２８の開口側のフランジ２８ｂには、上側リンクプレート２２の端部２２ｃに係合するフック２８ｄが形成される。
【００３９】
オフセットリンクの上側リンクプレート２２にトッププレート２７を取り付けるには、係止枠体２８のフランジ２８ｂとトッププレート２７の下面とで形成された溝部２８ｃに水平方向から上側リンクプレート２２の端部２２ｃを押し込みながら挿入し、図１３、図１４に示されるように、上側リンクプレート２２の端部２２ｃをトッププレート２７に形成された係止枠体２８のフック２８ｄに係合させる。図１３には、上側リンクプレート２２にトッププレート２７が取り付けられた状態を示す。
【００４０】
上記のように上側リンクプレート２２にトッププレート２７がその下面の係止枠体２８を介して取り付けられるので、トッププレート２７の表面を平坦面とすることができる。トッププレート２７は、上側リンクプレート２２の端部２２ｃの周縁が係止枠体２８のフランジ２８ｂに覆われて垂直方向への抜け止めがなされ、また、上側リンクプレート２２の端部２２ｃと係止枠体２８のフック２８ｄとの係合により水平方向への抜け止めがなされ、トッププレート２７が上方から、あるいは側方から力を受けても、上側リンクプレート２２から外れないようにすることができる。
【００４１】
【実施例４】
実施例４を図１５〜図１８に基づいて説明する。この実施例４のテーブルトップチェーンは、前記実施例１と同様に、複数のオフセットリンクが連結ピン３５により連結されてなるベースチェーンと、オフセットリンクの上側リンクプレート３２の上面に取り付けられたトッププレート３７とで構成される。
【００４２】
オフセットリンク３１は、ピン孔３２ａ、３２’ａ及びブシュ孔３２ｂ、３２’ｂを有する上下一対のリンクプレート３２，３２’が該ブシュ孔３２ｂ、３２’ｂにブシュ３３が圧入固定されることにより形成され、このブシュ３３には、必要に応じてローラ３４が遊嵌される。
【００４３】
このオフセットリンク３１がその端部で順次重ね合わされて連結ピン３５で連結されることによりベースチェーンが形成され、このベースチェーンは、前記実施例１と同じように金属製のものである。
【００４４】
以下詳述するように、オフセットリンク３１を構成する上側リンクプレート３２の上面に合成樹脂製のトッププレート３７が取り付けられる。この上側リンクプレート３２の端部３２ｃには、ピン孔３２ａ及び一対の係止孔３２ｄが穿設されている。また、トッププレート３７の下面（底面）には、図１５に示すように、係止部３８ａ及び割溝３８ｂを有する一対のリング状の係止用突起３８が一体成形により、あるいは接着により一体に形成される。
【００４５】
オフセットリンク３１の上側リンクプレート３２にトッププレート３７を取り付けるには、上側リンクプレート３２の係止孔３２ｄにトッププレート３７の係止用突起３８を係合するように上方からトッププレート３７を押圧するようにする。そうすると、係止孔３２ｄに係合された係止用突起３８は、その係止部３８ａにより抜け出さないように固定される。その結果、上側リンクプレート３２とトッププレート３７とは、垂直方向への抜け止めがなされると共に、水平方向への抜け止めもなされる。図１６には、上側リンクプレート３２にトッププレート３７が取り付けられた状態を示す。
【００４６】
上記のように上側リンクプレート３２に、トッププレート３７の下面に形成された係止用突起３８を介してトッププレート３７が取り付けられるので、トッププレート３７の表面を平坦面で形成することができ、その結果、衛生上、外観上良好なものとすることができる。また、トッププレート３７は、係止孔３２ｄと係止用突起３８との係合固定により、上側リンクプレート３２に取り付けられているので、トッププレート３７が上方から、あるいは側方から荷重、衝撃力等の力を受けても、トッププレート３７を上側リンクプレート３２から外れないようにすることができる。
【００４７】
【実施例５】
実施例５を図１９、図２０に基づいて説明する。この実施例５のテーブルトップチェーンは、前記実施例１と同様に、複数のオフセットリンクが連結ピン４５により連結されてなるベースチェーンと、オフセットリンクの上側リンクプレート４２の上面に取り付けられたトッププレート４７とで構成される。
【００４８】
オフセットリンクは、ピン孔４２ａ及びブシュ孔４２ｂを有する上下一対のリンクプレート４２（下側リンクプレートは図示を省略）が該ブシュ孔４２ｂにブシュが圧入固定されることにより形成され、このブシュには、必要に応じてローラが遊嵌される。
【００４９】
このオフセットリンクがその端部で順次重ね合わされて連結ピン４５で連結されることによりベースチェーンが形成され、このベースチェーンは、前記実施例１と同じように金属製のものである。
【００５０】
以下詳述するように、オフセットリンクを構成する上側リンクプレート４２の上面に合成樹脂製のトッププレート４７が取り付けられる。この上側リンクプレート４２の端部４２ｃには一対の係止孔４２ｄが穿設されている。また、トッププレート４７の下面（底面）には、図１９に示すように、係止部４８ａを外側に有する方形状の一対の係止用突起４８が一体成形により、あるいは接着により一体に形成される。
【００５１】
オフセットリンクの上側リンクプレート４２にトッププレート４７を取り付けるには、上側リンクプレート４２の係止孔４２ｄにトッププレート４７の係止用突起４８を係合するように上方からトッププレート４７を押圧するようにする。そうすると、係止孔４２ｄに係合された係止用突起４８は、その係止部４８ａにより抜け出さないように固定される。その結果、上側リンクプレート４２とトッププレート４７とは、垂直方向への抜け止めがなされると共に、水平方向への抜け止めもなされる。図２０には、上側リンクプレート４２にトッププレート４７が取り付けられた状態を示す。
【００５２】
上記のように上側リンクプレート４２に、トッププレート４７の下面に形成された係止用突起４８を介してトッププレート４７が取り付けられるので、トッププレート４７の表面を平坦面で形成することができ、その結果、衛生上、外観上良好なものとすることができる。また、トッププレート４７は、係止孔４２ｄと係止用突起４８との係合固定により、上側リンクプレート４２に取り付けられているので、トッププレート４７が上方から、あるいは側方から荷重、衝撃力等の力を受けても、トッププレート４７を上側リンクプレート４２から外れないようにすることができる。
【００５３】
【実施例６】
実施例６を図２１、図２２に基づいて説明する。この実施例６のテーブルトップチェーンは、前記実施例１と同様に、複数のオフセットリンクが連結ピン５５により連結されてなるベースチェーンと、オフセットリンクの上側リンクプレート５２の上面に取り付けられたトッププレート５７とで構成される。
【００５４】
オフセットリンクは、ピン孔５２ａ及びブシュ孔５２ｂを有する上下一対のリンクプレート５２（下側リンクプレートは図示を省略）が該ブシュ孔５２ｂにブシュが圧入固定されることにより形成され、このブシュには、必要に応じてローラが遊嵌される。
【００５５】
このオフセットリンクがその端部で順次重ね合わされて連結ピン５５で連結されることによりベースチェーンが形成され、このベースチェーンは、前記実施例１と同じように金属製のものである。
【００５６】
以下詳述するように、オフセットリンクを構成する上側リンクプレート５２の上面に合成樹脂製のトッププレート５７が取り付けられる。この上側リンクプレート５２の端部５２ｃには、ピン孔５２ａが穿設されていると共に、トッププレート５７の係止用突起５８の両端部に係合する一対ずつのフック５２ｄが形成されている。また、トッププレート５７の下面（底面）には、図２１に示すように、係止部５８ａを内側に有する方形状の一対の係止用突起５８が一体成形により、あるいは接着により一体に形成される。
【００５７】
オフセットリンクの上側リンクプレート５２にトッププレート５７を取り付けるには、上側リンクプレート５２の端部５２ｃをトッププレート５７の係止用突起５８に垂直方向から圧入するようにする。そうすると、係止用突起５８、５８間に係合された上側リンクプレート５２の端部５２ｃは、係止用突起５８、５８の係止部５８ａに係合すると共に、フック５２ｄが係止用突起５８、５８の端部に係合して、上側リンクプレート５２にトッププレート５７が固定される。その結果、上側リンクプレート５２とトッププレート５７とは、垂直方向への抜け止めがなされると共に、水平方向への抜け止めもなされる。図２２には、上側リンクプレート５２にトッププレート５７が取り付けられた状態を示す。
【００５８】
上記のように上側リンクプレート５２に、トッププレート５７の下面に形成された係止用突起５８を介してトッププレート５７が取り付けられるので、トッププレート５７の表面を平坦面で形成することができる。また、トッププレート５７は、上側リンクプレート５２の端部５２ｃとトッププレートの係止用突起５８との係合固定により、上側リンクプレート５２に取り付けられているので、係止用突起５８の係止部５８ａにより垂直方向への抜け止めがなされると共に、係止用突起５８の両端部に上側リンクプレート５２のフック５２ｄが係合することにより水平方向への抜け止めがなされ、トッププレート５７が上方から、あるいは側方から荷重、衝撃力等の力を受けても、トッププレート５７を上側リンクプレート５２から外れないようにすることができる。
【００５９】
以上各実施例について説明したが、本発明は、ベースチェーンを金属製のものとする代わりに、上下リンクプレートを合成樹脂製とし、ブシュ、連結ピンなどを適宜金属製、あるいは合成樹脂製などとした合成樹脂製のベースチェーンとしてもよい。
【００６０】
【発明の効果】
以上説明したように、各請求項に係る本発明は、オフセットリンクの上側リンクプレートの上面に、トッププレートの下面に一体に形成された略々コの字状の係止枠体、係止用突起等を介してトッププレートが取り付けられているので、トッププレートの表面を平坦面で形成することができ、その結果、テーブルトップチェーンを衛生上、外観上良好なものとすることができる。さらに、各請求項に係る本発明は、以下のとおりの作用効果を奏する。
【００６１】
請求項１に係る本発明は、トッププレートの下面には、略々コの字状の係止枠体が一体に形成され、この係止枠体のフランジとトッププレートの下面とで形成される溝部に上側リンクプレートが水平方向から挿入されることにより、該上側リンクプレートに該トッププレートが取り付けられ、この上側リンクプレートに取り付けられたトッププレートは、フランジにより垂直方向への抜け止めがなされていると共に、凹陥部と突起あるいは連結ピンの頭部との係合により水平方向への抜け止めがなされているので、トッププレートが上方から、あるいは側方から荷重、衝撃力等の力を受けても、トッププレートが上側リンクプレートから外れないようにすることができる。
【００６２】
請求項２に係る本発明は、前記トッププレートの下面には、略々コの字状の係止枠体が一体に形成されると共に、該係止枠体のフランジには、上側リンクプレートの端部に係合するフックが形成され、この係止枠体のフランジとトッププレートの下面とで形成される溝部に上側リンクプレートが水平方向から挿入されることにより、該上側リンクプレートに該トッププレートが取り付けられ、この上側リンクプレートに取り付けられたトッププレートは、前記フランジにより垂直方向への抜け止めがなされていると共に、該上側リンクプレートの端部に係止枠体のフランジに形成されたフックが係合することにより水平方向への抜け止めがなされているので、トッププレートが上方から、あるいは側方から荷重、衝撃力等の力を受けても、トッププレートが上側リンクプレートから外れないようにすることができる。
【００６３】
請求項３に係る本発明は、トッププレートの下面には、係止部を有するリング状あるいは方形状の係止用突起が一体に形成されると共に、上側リンクプレートの端部には、該係止用突起が係合される係止孔が形成され、上側リンクプレートの係止孔にトッププレートの係止用突起が嵌合されることにより、該上側リンクプレートに該トッププレートが取り付けられ、この上側リンクプレートに取り付けられたトッププレートは、係止用突起の係止部により垂直方向への抜け止めがなされていると共に、係止用突起と係止孔との係合により水平方向への抜け止めがなされているので、トッププレートが上方から、あるいは側方から荷重、衝撃力等の力を受けても、トッププレートが上側リンクプレートから外れないようにすることができる。
【００６４】
請求項４に係る本発明は、トッププレートの下面には、係止部を有する直方体状の係止用突起が一体に形成されると共に、上側リンクプレートの端部には、該係止用突起の両端部に係合するフックが形成され、上側リンクプレートの端部がトッププレートの係止用突起に垂直方向から圧入されることにより、該上側リンクプレートに該トッププレートが取り付けられ、この上側リンクプレートに取り付けられたトッププレートは、係止用突起の係止部により垂直方向への抜け止めがなされていると共に、係止用突起の両端部に上側リンクプレートのフックが係合することにより水平方向への抜け止めがなされているので、トッププレートが上方から、あるいは側方から荷重、衝撃力等の力を受けても、トッププレートが上側リンクプレートから外れないようにすることができる。
【図面の簡単な説明】
【図１】  本発明実施例１を示し、テーブルトップチェーンの上面の一部平面図。
【図２】  同上、テーブルトップチェーンの下面の一部平面図。
【図３】  同上、図１のＦ３−Ｆ３線断面図。
【図４】  同上、トッププレート裏面側と上側リンクプレートを示す斜視図。
【図５】  同上、上側リンクプレートの斜視図。
【図６】  同上、図４のＦ６−Ｆ６線断面図。
【図７】  同上、図４のＦ７−Ｆ７線断面図。
【図８】  同上、上側リンクプレートとトッププレートとの取付状態を示す斜視図。
【図９】  同上、テーブルトップチェーンの一部分解斜視図。
【図１０】  実施例２を示し、トッププレート裏面側と上側リンクプレートを示す斜視図。
【図１１】  同上、上側リンクプレートの斜視図。
【図１２】  実施例３を示し、トッププレート裏面側と上側リンクプレートを示す斜視図。
【図１３】  同上、上側リンクプレートとトッププレートとの取付状態を示す斜視図。
【図１４】  同上、図４のＦ１４−Ｆ１４線断面図。
【図１５】  実施例４を示し、トッププレート裏面側と上側リンクプレートを示す斜視図。
【図１６】  同上、上側リンクプレートとトッププレートとの取付状態を示す斜視図。
【図１７】  同上、オフセットリンクの分解斜視図。
【図１８】  同上、トッププレートとオフセットリンクの組立状態を示す斜視図。
【図１９】  実施例５を示し、トッププレート裏面側と上側リンクプレートを示す斜視図。
【図２０】  同上、上側リンクプレートとトッププレートとの取付状態を示す斜視図。
【図２１】  実施例６を示し、トッププレート裏面側と上側リンクプレートを示す斜視図。
【図２２】  同上、上側リンクプレートとトッププレートとの取付状態を示す斜視図。
【図２３】  従来例を示し、トッププレートとオフセットリンクの分解斜視図。
【図２４】  他の従来例を示し、トッププレートとオフセットリンクの組立状態を示す斜視図。
【図２５】  同上、トッププレート裏面側を示す斜視図。
【図２６】  同上、トッププレートが上方から力を受けた場合の説明図。
【図２７】  同上、トッププレートが側方から力を受けた場合の説明図。
【符号の説明】
１，３１  オフセットリンク
２，１２，２２  上側リンクプレート
２ｃ，１２ｃ，２２ｃ  端部
２ｄ  突起
５，１５，２５，３５，４５，５５  連結ピン
５ａ，１５ａ  連結ピンの頭部
６  ベースチェーン
７  トッププレート
７ａ  凹陥部
７ｂ  凹溝
８  係止枠体
８ａ  起立部
８ｂ  フランジ
８ｃ  溝部
１７  トッププレート
１７ａ  凹陥部
１７ｂ  凹溝
１８  係止枠体
１８ａ  起立部
１８ｂ  フランジ
１８ｃ  溝部
２７  トッププレート
２８  係止枠体
２８ａ  起立部
２８ｂ  フランジ
２８ｃ  溝部
２８ｄ  フック
３２  上側リンクプレート
３２ｃ  端部
３２ｄ  係止孔
３７  トッププレート
３８  係止用突起
３８ａ  係止部
３８ｂ  割溝
４２  上側リンクプレート
４２ｃ  端部
４２ｄ  係止孔
４７  トッププレート
４８  係止用突起
４８ａ  係止部
５２  上側リンクプレート
５２ｃ  端部
５２ｄ  フック
５７  トッププレート
５８  係止用突起
５８ａ  係止部
【図１】
0003956355.tif 000002
【図２】
0003956355.tif 000003
【図３】
0003956355.tif 000004
【図４】
0003956355.tif 000005
【図５】
0003956355.tif 000006
【図６】
0003956355.tif 000007
【図７】
0003956355.tif 000008
【図８】
0003956355.tif 000009
【図９】
0003956355.tif 000010
【図１０】
0003956355.tif 000011
【図１１】
0003956355.tif 000012
【図１２】
0003956355.tif 000013
【図１３】
0003956355.tif 000014
【図１４】
0003956355.tif 000015
【図１５】
0003956355.tif 000016
【図１６】
0003956355.tif 000017
【図１７】
0003956355.tif 000018
【図１８】
0003956355.tif 000019
【図１９】
0003956355.tif 000020
【図２０】
0003956355.tif 000021
【図２１】
0003956355.tif 000022
【図２２】
0003956355.tif 000023
【図２３】
0003956355.tif 000024
【図２４】
0003956355.tif 000025
【図２５】
0003956355.tif 000026
【図２６】
0003956355.tif 000027
【図２７】
0003956355.tif 000028